(57)【要約】      （修正有）【課題】放送受信装置に選択されたチャネル番号と関連情報を表示するバナー表示と、サイクリックにチャネルを選択するトグル選局を組み合わせて、ユーザの利便性を向上させる技術を提供する。【解決手段】放送波に含まれる複数のチャンネルから特定のチャンネルを選択する選択手段と、ユーザの操作に応じて、前記選択手段で選択するチャンネルを指示するチャンネル選択情報を出力する操作手段と、前記特定のチャンネルの映像を表示装置に出力する第１出力手段と、前記特定のチャンネルに関連するチャンネル情報を前記表示装置に出力する第２出力手段と、前記操作手段から出力されたチャンネル選択情報及び予め定められた条件に基づいて、前記選択手段及び前記第２出力手段を制御する制御手段と、を備える。【選択図】図５
2008061000.tif 000002
【特許請求の範囲】
【請求項１】
放送波に含まれる複数のチャンネルから特定のチャンネルを選択する選択手段と、
ユーザの操作に応じて、前記選択手段で選択するチャンネルを指示するチャンネル選択情報を出力する操作手段と、
前記特定のチャンネルの映像を表示装置に出力する第１出力手段と、
前記特定のチャンネルに関連するチャンネル情報を前記表示装置に出力する第２出力手段と、
前記操作手段から出力されたチャンネル選択情報及び予め定められた条件に基づいて、前記選択手段及び前記第２出力手段を制御する制御手段と、
を備え、
前記制御手段は、前記選択手段が現在選択中のチャンネルに対応付けられたチャンネル選択情報が前記操作手段から出力された場合に、当該チャンネル選択情報に予め割り当てられた他のチャンネルを前記選択手段に選択させるか、前記現在選択中のチャンネルに関連する前記チャンネル情報を前記第２出力手段に出力させるかのいずれかを、前記予め定められた条件に基づいて決定することを特徴とする放送受信装置。
【請求項２】
前記制御手段は、前記現在選択中のチャンネルに対応付けられたチャンネル選択情報が前記操作手段から出力された際に、前記第２出力手段が前記チャンネル情報を出力中であれば、前記他のチャンネルを前記選択手段に選択させ、前記第２出力手段が前記チャンネル情報を出力中でなければ前記現在選択中のチャンネルに関連する前記チャンネル情報を前記第２出力手段に出力させることを特徴とする請求項１に記載の放送受信装置。
【請求項３】
前記制御手段は、前記現在選択中のチャンネルに対応付けられたチャンネル選択情報が前記操作手段から出力された際に、前記現在選択中のチャンネルを前記選択手段が選択してからの経過時間、又は、前記現在選択中のチャンネルの前記チャンネル情報を前記第２出力手段が最後に出力してからの経過時間のいずれかが予め定められた時間を超える場合、前記現在選択中のチャンネルに関連する前記チャンネル情報を前記第２出力手段に出力させ、前記経過時間のいずれもが前記予め定められた時間を超えない場合、前記他のチャンネルを前記選択手段に選択させることを特徴とする請求項１に記載の放送受信装置。
【請求項４】
前記制御手段は、前記現在選択中のチャンネルに対応付けられたチャンネル選択情報が前記操作手段から出力された際に、前記第１出力手段が予め定められた状態であり、かつ、前記第２出力手段が予め定められた形式で前記チャンネル情報を出力中であれば、前記他のチャンネルを前記選択手段に選択させ、そうでなければ、前記現在選択中のチャンネルに関連する前記チャンネル情報を前記第２出力手段に出力させることを特徴とする請求項１に記載の放送受信装置。
【請求項５】
前記予め定められた状態とは、前記第１出力手段が前記映像を出力している状態であることを特徴とする請求項４に記載の放送受信装置。
【請求項６】
前記予め定められた形式とは、前記現在選択中のチャンネルのチャンネル番号、該現在選択中のチャンネルで放映されている番組の名前、該番組の放映時間のいずれかの文字情報を含み、かつ、当該文字情報が予め定められた大きさよりも大きく前記表示装置に表示される形式であることを特徴とする請求項４又は５に記載の放送受信装置。
【請求項７】
前記制御手段は、前記チャンネル選択情報に予め割り当てられた他のチャンネルが複数ある場合、前記他のチャンネルに予め定められた順序に従って前記他のチャンネルの１つを前記選択手段に選択させることを特徴とする請求項１乃至６のいずれか１項に記載の放送受信装置。
【請求項８】
前記制御手段は、前記選択手段に前記他のチャンネルを選択させた後、前記第２出力手段に、新たに選択されたチャンネルに関する前記チャンネル情報を出力させることを特徴とする請求項１乃至７のいずれか１項に記載の放送受信装置。
【請求項９】
前記第２出力手段は、前記チャンネル情報の出力を開始してから予め定められた時間が経過すると、当該出力を停止することを特徴とする請求項１乃至８のいずれか１項に記載の放送受信装置。
【請求項１０】
前記放送波として、地上アナログ放送、地上デジタル放送、ＢＳアナログ放送、ＢＳデジタル放送、ＣＳアナログ放送、及び、ＣＳデジタル放送のうち、少なくとも一つの放送波を受信することを特徴とする請求項１乃至９のいずれか１項に記載の放送受信装置。
【請求項１１】
放送波に含まれる複数のチャンネルから特定のチャンネルを選択する選択工程と、
ユーザの操作に応じて、前記選択工程で選択するチャンネルを指示するチャンネル選択情報を出力する操作工程と、
前記特定のチャンネルの映像を表示装置に出力する第１出力工程と、
前記特定のチャンネルに関連するチャンネル情報を前記表示装置に出力する第２出力工程と、
前記操作工程で出力されたチャンネル選択情報及び予め定められた条件に基づいて、前記選択工程及び前記第２出力工程を制御する制御工程と、
を備え、
前記制御工程では、前記選択工程で現在選択中のチャンネルに対応付けられたチャンネル選択情報が前記操作工程で出力された場合に、当該チャンネル選択情報に予め割り当てられた他のチャンネルを前記選択工程で選択させるか、前記現在選択中のチャンネルに関連する前記チャンネル情報を前記第２出力工程で出力させるかのいずれかを、前記予め定められた条件に基づいて決定することを特徴とする放送受信方法。
【請求項１２】
請求項１１に記載の制御方法をコンピュータに実行させるためのプログラム。
【発明の詳細な説明】
【技術分野】
【０００１】
本発明は、放送受信装置、放送受信装置の制御方法、及び、プログラムに関し、特に、放送受信装置においてチャンネルを選択する技術に関する。
【背景技術】
【０００２】
テレビジョン受像機やテレビジョンチューナーを備える録画装置などの放送受信装置は、選局（チャンネルの選択）操作に応答して、選択されたチャンネルに関連する情報を表示装置に出力して表示させる機能を備えているのが一般的である。ここで、表示装置とは、テレビジョン受像機の表示部などである。また、番組に関連する情報とは、例えば、選択されたチャンネルのチャンネル番号、放映中の番組の番組名、放映時間、番組属性などである。選択されたチャンネルに関連する情報の表示を、以下、「バナー表示」と呼ぶ。バナー表示は、選択中の番組の概要をユーザが把握することを補助する。
【０００３】
バナー表示は、放送受信装置のリモコンに設けられた専用キー（バナー表示キー）が操作された場合などにも表示される。また、バナー表示は、選択中のチャンネルが再度選択された場合、即ち、リモコンにおいて選択中のチャンネルに対応付けられた数字キーが操作された場合にも表示される。例えば、ユーザがＢＳ（Ｂｒｏａｄｃａｓｔｉｎｇ  Ｓａｔｅｌｌｉｔｅ）のチャンネル１４１（ＢＳ１４１）を視聴中に、ＢＳ１４１に対応付けられた数字キー（例えば『４』キー）を押下すると、ＢＳ１４１のバナー表示を行うことができる。
【０００４】
また、放送受信装置の中には、リモコンの各数字キーに複数のチャンネルを割り当て、同一の数字キーが押下される毎に、割り当てた複数のチャンネルを順次サイクリックに選局するものもある。このような、同一キーの複数回押下によるサイクリックな選局を、以下、「トグル選局」と呼ぶ。
【０００５】
図１１は、トグル選局時の表示装置の画面遷移例を示す図である。図１１の例では、数字キー『４』に、ＢＳ１４１、地上デジタル０４１、ＣＳ（Ｃｏｍｍｕｎｉｃａｔｉｏｎ  Ｓａｔｅｌｌｉｔｅ）２５７という３つのチャンネルが割り当てられているものとする。ユーザが、あるチャンネル（例えば、ＢＳ１０３）を視聴中している状態から数字キー『４』を複数回押下すると、ＢＳ１４１−＞地上デジタル０４１−＞ＣＳ２５７−＞ＢＳ１４１・・の順にチャンネルが切り替わる。トグル選局を利用すると、チャンネル数の多い環境下で、数に限りがある数字キーを有功に活用できる。更に、近年では、放送方式の種類（ＢＳ、ＣＳ、地上デジタルなど）が増えてきたことから、これらを切り替える方法としてもトグル選局は利用できる（図１１参照）。
【０００６】
トグル選局に関する従来技術として、特許文献１及び特許文献２に開示される技術が知られている。特許文献１には、リモコンに放送局（事業者）キーを設け、そのキーが複数回操作されると、同一放送局の他のチャンネルを順次選択するトグル選局方法が開示されている。特許文献２には、放送局が指定した優先チャンネルやチャンネル順序に従って、トグル選局を行う方法が開示されている。
【特許文献１】特開２００１−８１１７号公報
【特許文献２】特開２００２−１７６５９２号公報
【発明の開示】
【発明が解決しようとする課題】
【０００７】
特許文献１及び特許文献２に記載されているトグル選局方法によれば、選択中のチャンネルに対応する数字キー（又は放送局キー）が押下されると、同一キーに割り当てられた次のチャンネルが選局される。そのため、従来は可能であった、選択中のチャンネルに対応する数字キーを再度押下することによりバナー表示を行わせることが不可能になるという問題があった。
【０００８】
本発明はこのような状況に鑑みてなされたものであり、放送受信装置にチャンネル情報表示とチャンネル選択とを選択的に実行させることによりユーザの利便性を向上させる技術を提供することを目的とする。
【課題を解決するための手段】
【０００９】
上記課題を解決するために、本発明の放送受信装置は、放送波に含まれる複数のチャンネルから特定のチャンネルを選択する選択手段と、ユーザの操作に応じて、前記選択手段で選択するチャンネルを指示するチャンネル選択情報を出力する操作手段と、前記特定のチャンネルの映像を表示装置に出力する第１出力手段と、前記特定のチャンネルに関連するチャンネル情報を前記表示装置に出力する第２出力手段と、前記操作手段から出力されたチャンネル選択情報及び予め定められた条件に基づいて、前記選択手段及び前記第２出力手段を制御する制御手段と、を備え、前記制御手段は、前記選択手段が現在選択中のチャンネルに対応付けられたチャンネル選択情報が前記操作手段から出力された場合に、当該チャンネル選択情報に予め割り当てられた他のチャンネルを前記選択手段に選択させるか、前記現在選択中のチャンネルに関連する前記チャンネル情報を前記第２出力手段に出力させるかのいずれかを、前記予め定められた条件に基づいて決定することを特徴とする。
【００１０】
また、本発明の放送受信方法は、放送波に含まれる複数のチャンネルから特定のチャンネルを選択する選択工程と、ユーザの操作に応じて、前記選択工程で選択するチャンネルを指示するチャンネル選択情報を出力する操作工程と、前記特定のチャンネルの映像を表示装置に出力する第１出力工程と、前記特定のチャンネルに関連するチャンネル情報を前記表示装置に出力する第２出力工程と、前記操作工程で出力されたチャンネル選択情報及び予め定められた条件に基づいて、前記選択工程及び前記第２出力工程を制御する制御工程と、を備え、前記制御工程では、前記選択工程で現在選択中のチャンネルに対応付けられたチャンネル選択情報が前記操作工程で出力された場合に、当該チャンネル選択情報に予め割り当てられた他のチャンネルを前記選択工程で選択させるか、前記現在選択中のチャンネルに関連する前記チャンネル情報を前記第２出力工程で出力させるかのいずれかを、前記予め定められた条件に基づいて決定することを特徴とする。
【００１１】
なお、その他の本発明の特徴は、添付図面及び以下の発明を実施するための最良の形態における記載によって更に明らかになるものである。
【発明の効果】
【００１２】
以上の構成により、本発明によれば、放送受信装置にチャンネル情報表示とチャンネル選択とを選択的に実行させることによりユーザの利便性を向上させることが可能となる。
【発明を実施するための最良の形態】
【００１３】
以下、添付図面を参照して、本発明の実施形態を説明する。以下で説明される個別の実施形態は、本発明の上位概念、中位概念および下位概念など種々の概念を理解するために役立つであろう。
【００１４】
なお、本発明の技術的範囲は、特許請求の範囲によって確定されるのであって、以下の個別の実施形態によって限定されるわけではない。また、実施形態の中で説明されている特徴の組み合わせすべてが、本発明に必須とは限らない。
【００１５】
また、以下の各実施形態では、放送受信装置の一例として、デジタル放送（ＢＳデジタル放送、ＣＳデジタル放送、地上デジタル放送など）に対応したテレビジョン受像機（以下、「デジタルテレビ」という）を用いる。しかし、例えば、アナログ放送のみ（例えば、ＢＳアナログ放送、ＣＳアナログ放送、地上アナログ放送など）に対応したテレビジョン受像機に各実施形態を適用することもできる。また、表示装置とチューナーが一体化したテレビジョン受像機以外の放送受信装置、例えば、アナログもしくはデジタルテレビジョンチューナーを備える録画装置などにも各実施形態を適用できる。この場合、ユーザは、外部表示装置（例えば、テレビジョン受像機やディスプレイモニタ装置）を録画装置に接続することにより、放映される番組を鑑賞することができる。また、テレビジョン受像機には、同等の機能を有する機器、例えばテレビチューナーを備えるパーソナルコンピュータやセットトップボックス（ＳＴＢ）、携帯電話機等も含まれる。
【００１６】
［第１の実施形態］
図１は、第１の実施形態に係るデジタルテレビ１００の概略構成を示すブロック図である。図２は、デジタルテレビ１００に選局等の指示を与えるためのリモコン２００を示す図である。リモコン２００のいずれかのキーが押下されると、押下されたキーを示すリモコンコードを含む赤外線が不図示の送信部から送信される。リモコンが出力する赤外線は、デジタルテレビ１００のリモコン受信部１０８（後述）によって受信される。
【００１７】
リモコン２００は、数字キー２０１、選局用のアップダウンキー２０２、電源キー２０３、音量調整用のアップダウンキー２０４、及び、バナー表示用のバナー表示キー２０５を備える。また、番組表を表示するための番組表キー２０６、データ放送表示用のｄデータキー２０７、矢印キー２０８、地上デジタル、ＢＳ、ＣＳなどの放送種類を切り替えるための放送種類切替キー２０９などを備える。
【００１８】
デジタルテレビ１００は、ＴＶ受信部１０１、デコード部１０２、音声処理部１０３、画像合成処理部１０４、番組情報保持部１０５、音声出力部１０６、表示部１０７、及び、リモコン受信部１０８を備える。デジタルテレビ１００はまた、選局制御部１０９、ＧＵＩ（Ｇｒａｐｈｉｃａｌ  Ｕｓｅｒ  Ｉｎｔｅｒｆａｃｅ）作成部１１０、及び、選局テーブル保持部１１１を備える。デジタルテレビ１００はまた、選局状態保持部１１２、トグル選局実行判定部１１３、表示状態保持部１１４、及び、タイマー部１１５を備える。
【００１９】
ＴＶ受信部１０１は、所謂テレビチューナーであり、デジタル放送波を受信し、復調処理を施す。選局制御部１０９は、選択されているチャンネルの放送種類に基づいて、ＴＶ受信部１０１が使用するチューナーを選択する。そして、ＴＶ受信部１０１は、映像や音声などを多重化したトランスポートストリームデータ（以下、ＴＳデータと呼ぶ）をデコード部１０２へ出力する。
【００２０】
デコード部１０２は、ＴＶ受信部１０１から与えられたＴＳデータを、映像データ（画像データ）、音声データ、及びＰＳＩ／ＳＩデータなどに分離し、それぞれをデコードする。ＰＳＩ／ＳＩデータは、「Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎデータ」の略であり、以下、「番組情報データ」と呼ぶ。デコードされた映像データは、画像合成処理部１０４へ入力される。デコードされた音声データは、音声処理部１０３へ入力される。また、デコードされた番組情報データは、不揮発性もしくは揮発性のメモリである番組情報保持部１０５に入力され、一時的に保持される。この番組情報データには、バナー表示などに使用する番組関連情報が含まれる。
【００２１】
音声処理部１０３は、デコード部１０２によりデコードされた音声データに、音質、音響効果等に関する音声処理を施し、Ｄ／Ａ変換や増幅処理を施して音声出力部１０６（例えば、スピーカ）に出力する。
【００２２】
リモコン受信部１０８は、リモコン２００からのリモコンコードを受信する。リモコン受信部１０８は、一般的には、赤外線入力ポート（不図示）を介してリモコンコードを受信する。受信したリモコンコードは、そのコードの値とデジタルテレビ１００の状態に応じて、選局制御部１０９又はＧＵＩ作成部１１０へ転送される。例えば、リモコンコードが数字キー２０１の押下を示す場合、リモコン受信部１０８は、受信したリモコンコードを選局制御部１０９へ転送する。この場合、リモコンコードは、選択するチャンネルを示す識別情報（チャンネル選択情報）として扱われる。選局制御部１０９は、転送されたリモコンコードに応じた選局制御を行う。一方、リモコンコードが、番組の詳細情報を表示するためのＧＵＩに関するもの（即ち、バナー表示キー２０５の押下によるもの）である場合、リモコン受信部１０８は、受信したリモコンコードをＧＵＩ作成部１１０へ転送する。ＧＵＩ作成部１１０は、現在放映中の番組の詳細情報を表示するＧＵＩを作成する。
【００２３】
選局テーブル保持部１１１は、リモコンコードと選局先チャンネルを対応付けた選局テーブルを保持する。即ち、選局テーブルは、リモコン２００の数字キー２０１と、その各々に割り当てられたチャンネルとの対応を示す。選局テーブルは、ユーザの指示などによって変更可能であるが、一般的に変更頻度は低い。
【００２４】
選局状態保持部１１２は、選局中のチャンネル情報を保持する。この情報は、選局のたびに選局制御部１０９によって更新される。選局テーブル保持部１１１や選局状態保持部１１２は、いずれも不揮発性もしくは揮発性のメモリである。これらは、番組情報保持部１０５や後述の表示状態保持部１１４と共に、同一のメモリ上に存在してもよい。
【００２５】
選局制御部１０９は、放送波から選局するチャンネルを特定する。チャンネルの特定は、トグル選局実行判定部１１３の判定結果と、リモコン受信部１０８からのリモコンコードと、選局テーブル保持部１１１に保持されている選局テーブルと、選局状態保持部１１２によって保持されている現在の選局チャンネル情報とに基づく。そして、選局すべきチャンネルをＴＶ受信部１０１が出力するように、ＴＶ受信部１０１のチューナーを設定する。また、選局制御部１０９は、ＧＵＩ作成部１１０に対して、選局先のチャンネルに関するバナー表示の作成を指示する。
【００２６】
ＧＵＩ作成部１１０は、リモコン受信部１０８から転送されたリモコンコード、又は、選局制御部１０９によるバナー表示の作成指示に応じて、バナー表示のためのＧＵＩを作成する。ＧＵＩ作成部１１０は、ＧＵＩ作成のために番組に関する情報が必要な場合は、番組情報保持部１０５にアクセスし、該当する番組の番組情報を取得する。また、作成したＧＵＩは、画像合成処理部１０４へ、映像における表示位置やサイズ等の制御情報を含めた形で送られる。
【００２７】
トグル選局実行判定部１１３は、表示状態保持部１１４内に保持されているバナー表示状態（表示又は非表示）の情報に基づき、選局制御部１０９がトグル選局を行ってよいか否かを判定する。
【００２８】
表示状態保持部１１４は、バナー表示状態（表示又は非表示）を示すフラグを保持する。このフラグは、バナー表示の作成を行うＧＵＩ作成部１１０によって更新される。ＧＵＩ作成部１１０は、選局後にバナー表示を表示させ、所定の時間経過後にバナー表示を非表示にする。従って、ＧＵＩ作成部１１０は、表示、非表示それぞれのタイミングで表示状態保持部１１４のフラグを更新する。バナー表示は、リモコン２００のバナー表示ボタン２０５が押下された場合や、トグル選局実行判定部１１３がトグル選局を許可しなかった場合などにも表示される。
【００２９】
タイマー部１１５は、所定のタイミングからの経過時間を計時し、ＧＵＩ作成部１１０に経過時間を通知する。ＧＵＩ作成部１１０は、バナー表示を非表示にするタイミングを確認するためにタイマー部１１５を使用する。例えば、タイマー部１１５は、バナー表示が行われると計時を開始し、所定の時間経過後に、所定の時間が経過した旨をＧＵＩ作成部１１０に通知する。ＧＩＵ作成部１１０は、通知を受けると、バナー表示の作成及び画像合成部１０４への出力を中止し、バナー表示が終了する。
【００３０】
画像合成処理部１０４は、デコード部１０２によってデコードされた映像データと、ＧＵＩ作成部１１０よって作成されたＧＵＩ等とを合成する。また、合成前後のデータに、ノイズ除去、拡大縮小処理、階調処理、エッジ強調などの画像処理を施す。画像合成処理部１０４は、合成したデータを表示部１０７に出力する。これにより、例えば図１１に示すような画面が表示部１０７に表示される。画像合成処理部１０４は、表示部１０７ではなく、外部のモニタなどに合成したデータを出力してもよい。
【００３１】
図３は、選局テーブル保持部１１１が保持する選局テーブルの一例を示す図である。選局テーブルは、リモコンコード毎に、複数のチャンネル情報（放送種類とＳｅｒｖｉｃｅ＿ＩＤの組）を保持する。例えば、リモコンコード『０４』（即ち、リモコン２００の数字キー２０１の『４』キー）には、チャンネル情報として、（ＢＳ、１４１）、（地上Ｄ（地上デジタル）、０４１）、及び、（ＣＳ、２５７）が割り当てられている。
【００３２】
また、各チャンネル情報には選局順序が付与されている。図３においては、ＢＳ１４１が１番、地上Ｄ０４１が２番、ＣＳ２５７が３番である。従って、リモコン受信部１０８がリモコンコード『０４』を連続して受信し、かつ、トグル選局実行判定部１０３がトグル選局の実行を許可した場合、選局順序に従い、ＢＳ１４１−＞地上Ｄ０４１−＞ＣＳ２５７−＞ＢＳ１４１・・・の順に選局される。
【００３３】
以上のように、選局テーブルは、各々が複数のチャンネルに対応付けられた複数の識別情報（リモコンコード）を保持し、各識別情報に対応する複数のチャンネルには選局順序が設定されている。
【００３４】
図４は、第１の実施形態における、表示部１０７の画面遷移例を示す図である。最初は、図４（ａ）に示すように、ユーザがＢＳ１０３を視聴中であるものとする。ここで、ユーザが数字キー２０１の『４』キーを押下すると、デジタルテレビ１００は、図３の選局テーブルに従い、ＢＳ１４１を選局する（図４（ｂ））。
【００３５】
図４（ｂ）に示すように、選局と同時に、選局されたチャンネルで現在放映中の番組に関するバナー表示「番組Ａ  ２：００―３：００  ＢＳ１４１」が表示される。この例では、バナー表示として、番組名、放映時間、チャンネル番号を表示しているが、これに限られるものではない。例えば、映像フォーマットの情報や音声モード（ステレオかモノラル）などの情報を表示してもよい。このバナー表示は、所定の時間が経過すると、自動的に非表示になる（図４（ｄ））。
【００３６】
一方、ユーザが、図４（ｂ）の状態（バナー表示が表示されている状態）で、再度数字キー２０１の『４』を押下すると、デジタルテレビ１００は、図３の選局テーブルに従ってトグル選局を行う。その結果、選局順序が２番目の地上Ｄ０４１チャンネルが選択される（図４（ｃ））。
【００３７】
また、図４（ｄ）に示すようにバナー表示が非表示になった後に、ユーザが、再度数字キー２０１の『４』を押下した場合、デジタルテレビ１００はトグル選局を行われず、選局中のチャンネルに関するバナー表示を行う（図４（ｂ）に戻る）。以後も、選局中のチャンネルが割り当てられた数字キーが押下されるたびに、デジタルテレビ１００は、バナー表示の状態に基づき、トグル選局を行うか、或いは、バナー表示を行う。
【００３８】
図５は、第１の実施形態に係るデジタルテレビ１００の選局処理の流れを示すフローチャートである。
【００３９】
ステップＳ５０１で、リモコン受信部１０８は、リモコン２００から数字キー２０１に対応するリモコンコードを受信すると、選局制御部１０９へ転送する。
【００４０】
ステップＳ５０２で、選局制御部１０９は、現在選択中のチャンネルが、受信したリモコンコードに対応する複数のチャンネル（図３参照）に含まれるか否かを判定する。換言すれば、現在選択中のチャンネルが割り当てられたリモコンコードと、受信したリモコンコードが同じか否かを判定する。含まれる（同じ）場合はステップＳ５０４に進み、含まれない（異なる）場合はステップＳ５０３に進む。
【００４１】
具体的には、選局制御部１０９は、選局状態保持部１１２にアクセスし、選局中のチャンネルの放送種類及びＳｅｒｖｉｃｅ＿ＩＤを取得する。Ｓｅｖｉｃｅ＿ＩＤは、ＳＩデータであるＳＤＴ（Ｓｅｒｖｉｃｅ  Ｄｅｓｃｒｉｐｔｉｏｎ  Ｔａｂｌｅ）やＥＩＴ（Ｅｖｅｎｔ  Ｉｎｆｏｒｍａｔｉｏｎ  Ｔａｂｌｅ）内に含まれる１６ｂｉｔ長の情報であり、各チャンネル番号に対応するものである。次に、選局制御部１０９は、選局テーブル保持部１１１にアクセスし、選局中のチャンネルに対応するリモコンコードを取得する（例えば、選局中のチャンネルがＣＳ２５６であれば、リモコンコード『０５』を取得する（図３参照））。そして、選局中のチャンネルのリモコンコードと、リモコン受信部１０８が受信したリモコンコードとが一致するか否かを判定する。なお、選局状態保持部１１２は、選局中のチャンネルのリモコンコードも保持していてもよい。この場合、選局制御部１０９は、選局状態保持部１１２にアクセスして選局中のチャンネルのリモコンコードを取得できる。
【００４２】
ステップＳ５０３で、選局制御部１０９は、通常の選局処理を実行する（図４（ａ）から図４（ｂ）への遷移に対応）。
【００４３】
具体的には、選局制御部１０９は、選局テーブル保持部１１１から選局テーブルを取得する。そして、選局テーブルに従い、ステップＳ５０１で受信したリモコンコードと、ステップＳ５０２で取得した選局中のチャンネルの放送種類とから、選局すべきチャンネルを特定する。選局制御部１０９は、特定されたチャンネルが選局されるように、ＴＶ受信部１０１のチューナーの設定を変更する。受信部１０１は、選局されたチャンネルが含まれる放送波からＴＳを再生成し、後段のデコード部１０２へ渡す。
【００４４】
ステップＳ５０４で、トグル選局実行判定部１１３は、予め定められた条件を満たすか否かを判定する。本実施形態では、トグル選局実行判定部１１３は、表示状態保持部１１４にアクセスして、バナー表示が表示中であるか否かを判定する。バナー表示が表示されていれば、トグル選局実行可能であり、ステップＳ５０５に進む。バナー表示が非表示であれば、トグル選局実行不可であり、ステップＳ５０６に進む。
【００４５】
ステップＳ５０５で、選局制御部１０９は、トグル選局を実行する。具体的には、ステップＳ５０２で取得した選局テーブルに従い、次に選局すべきチャンネルを特定する。そして、選局制御部１０９は、特定されたチャンネルが選局されるように、ＴＶ受信部１０１のチューナーの設定を変更する。
【００４６】
ステップＳ５０６で、選局制御部１０９は、ＧＵＩ作成部１１０に対して、現在選局中の番組に関するバナー表示の作成を指示する。ＧＵＩ作成部１１０は、作成指示を受けると、番組情報保持部１０５から現在選局中の番組に関する情報を取得し、バナー表示用のＧＵＩを作成する。作成されたＧＵＩは、画像合成処理部１０４に送られ、そこで映像データと合成された後、表示部１０７に表示される。
【００４７】
ここで、ステップＳ５０６の処理は、ステップＳ５０４においてバナー表示が表示又は非表示いずれの場合でも実行されることに注意されたい。即ち、バナー表示が表示されていれば、トグル選局が実行され、選局後のチャンネルのバナー表示が表示される（図４（ｂ）から図４（ｃ）への遷移に対応）。一方、バナー表示が非表示であれば、トグル選局は行われず、バナー表示の表示のみが行われる（図４（ｄ）から図４（ｂ）への遷移に対応）。ただし、トグル選局後のバナー表示は、表示されても表示されなくても構わない。本実施形態において重要なことは、バナー表示とトグル選局が選択的に実行されることである。
【００４８】
ステップＳ５０７で、ＧＵＩ作成部１１０は、表示状態保持部１１４が保持するフラグを、バナー表示が『表示』状態であることを示すように更新する。同時にタイマー部１１５に対して、計時の開始を指示する。タイマー部１１５は、所定の時間が経過すると、ＧＵＩ作成部１１０にその旨を通知する。通知を受けたＧＵＩ作成部１１０は、バナー表示を非表示にすると同時に、表示状態保持部１１４が保持するフラグを、バナー表示が『非表示』状態であることを示すように更新する。
【００４９】
以上説明したように、本実施形態によれば、デジタルテレビ１００は、リモコンコードを受信すると、現在選択中のチャンネルに対応するリモコンコードが受信したリモコンコードと一致するか否かを判定する。一致する場合、バナー表示が表示されていれば、トグル選局を行い、バナー表示が表示されていなければ、バナー表示を表示させる。
【００５０】
これにより、ユーザが放送受信装置にバナー表示とトグル選局を選択的に実行させることが可能になり、ユーザの利便性が向上する。ユーザは、バナー表示の有無を確認すれば、リモコンの数字キーを押下するとバナー表示とトグル選局のいずれが実行されるかを容易に把握することができる。
【００５１】
なお、本実施形態では、図３の選局テーブルに従うと、トグル選局は放送種類の切り替えを伴う。しかし、放送種類の切り替えを伴わないトグル選局にも本実施形態を適用することができることに注意されたい。この場合、図３の選局テーブルにおいて、例えばリモコンコード『０４』に、地上Ｄ０２１、地上Ｄ０２２、地上Ｄ０２３（３つに限られるものではない）を対応付ければよい。
【００５２】
［第２の実施形態］
第１の実施形態では、デジタルテレビは、バナー表示の有無に基づいてバナー表示とトグル選局を選択的に実行した。第２の実施形態では、デジタルテレビは、バナー表示の有無の代わりに、選局後の経過時間に基づいてバナー表示とトグル選局を選択的に実行する。
【００５３】
なお、本実施形態において、リモコン２００の構成は第１の実施形態と同様であるため、その説明を省略する（図２参照）。
【００５４】
図６は、第２の実施形態に係るデジタルテレビ６００の概略構成を示すブロック図である。このデジタルテレビ６００は、図１に示したデジタルテレビ１００の構成から表示状態保持部１１４を削除した構成となる。また、タイマー部１１５は、ＧＵＩ作成部１１０に加え、トグル選局実行判定部１１３に対しても経過時間の通知を行う構成となっている。
【００５５】
図７は、第２の実施形態に係るデジタルテレビ６００の選局処理の流れを示すフローチャートである。図７において、図５と同一の処理を行うステップには同一の符号を付し、説明を省略する。
【００５６】
ステップＳ７０１で、トグル選局実行判定部１１３は、予め定められた条件を満たすか否かを判定する。本実施形態では、トグル選局実行判定部１１３は、タイマー部１１５からの通知に基づき、直近の選局又はバナー表示からの経過時間が予め定められた時間内であるか否かを判定する。予め定められた時間内であれば、トグル選局実行可能であり、ステップＳ５０５に進む。予め定められて時間内でなければ、トグル選局実行不可であり、ステップＳ５０６に進む。
【００５７】
ステップＳ７０２で、トグル選局実行判定部１１３は、タイマー部１１５に対して計時のリセットを指示し、タイマー部１１５は、その時点からの経過時間の計時を開始する。
【００５８】
タイマー部１１５は、計時を開始してから予め定められた時間が経過すると、その旨をトグル選局実行判定部１１３に通知する。そのため、トグル選局実行判定部１１３は、ステップＳ７０１おいて、予め定められた時間内であるか否かを判定することができる。
【００５９】
以上説明したように、本実施形態によれば、デジタルテレビ６００は、バナー表示の状態の代わりに、選局後の経過時間に基づいてバナー表示とトグル選局を選択的に実行する。
【００６０】
これにより、例えば、バナー表示が非表示になった直後に、選局中のチャンネルに対応するリモコンコードと同じリモコンコードをデジタルテレビ６００が受信した場合を考える。この場合でも、でも予め定められた時間が経過する前であれば、デジタルテレビ６００がトグル選局を実行するように構成できる。そのため、バナー表示とトグル選局の選択基準をより柔軟に設定することが可能となる。
【００６１】
［第３の実施形態］
第１の実施形態では、デジタルテレビは、バナー表示の有無に基づいてバナー表示とトグル選局を選択的に実行した。第３の実施形態では、デジタルテレビは、バナー表示の有無ではなく、表示部１０７の表示内容（選択中のチャンネルの映像が表示されているか否か、表示されている文字の内容、サイズなど）に基づいてバナー表示とトグル選局を選択的に実行する。ここで、表示部１０７に表示される文字は、バナー表示によるものだけではなく、例えば、リモコン２００の番組表キー２０６の押下に応答して表示される番組表中の文字も含まれる。
【００６２】
なお、本実施形態において、リモコン２００の構成は第１の実施形態と同様であるため、その説明を省略する（図２参照）。
【００６３】
図８は、第３の実施形態に係るデジタルテレビ８００の概略構成を示すブロック図である。デジタルテレビ８００は、図１に示したデジタルテレビ１００の構成から表示状態保持部１１４を削除し、代わりに表示内容保持部１１６を追加した構成である。また、トグル選局実行判定部１１３は、選局状態保持部１１２や番組情報保持部１０５から各種情報を取得できるようになっている。
【００６４】
表示内容保持部１１６は、表示部１０７の表示内容に関する情報を保持する。表示内容保持部１１６に保持されているこれらの情報（以下、「表示内容情報」と呼ぶ）は、ＧＵＩ作成部１１０が作成して出力するＧＵＩが変化する度に更新される。
【００６５】
図９は、第３の実施形態に係るデジタルテレビ８００の選局処理の流れを示すフローチャートである。図９において、図５と同一の処理を行うステップには同一の符号を付し、説明を省略する。
【００６６】
ステップＳ９０１で、トグル選局実行判定部１１３は、表示内容保持部１１６から、表示内容情報を取得する。
【００６７】
ステップＳ９０２で、トグル選局実行判定部１１３は、番組情報保持部１０５から、現在選局中のチャンネルの番組情報を取得する。
【００６８】
ステップＳ９０３で、トグル選局実行判定部１１３は、表示内容情報が予め定められた条件を満たすか否かを判定する。予め定められた条件を満たしていれば、トグル選局可能であり、ステップＳ５０５に進む。予め定められた条件を満たしていなければ、トグル選局不可能であり、ステップＳ９０４に進む。ステップＳ９０３における判定の詳細は、図１０を参照して後述する。
【００６９】
ステップＳ９０４で、選局制御部１０９は、ＧＵＩ作成部１１０に対して、現在選局中の番組に関するバナー表示の作成を指示する。ＧＵＩ作成部１１０は、作成指示を受けると、番組情報保持部１０５から現在選局中の番組に関する情報を取得し、バナー表示用のＧＵＩを作成する。作成されたＧＵＩは、画像合成処理部１０４に送られ、そこで映像データと合成された後、表示部１０７に表示される。ステップＳ９０４で表示されるバナー表示に使用される文字の内容及び文字サイズは、ステップＳ９０３における条件（後述する図１０のステップＳ１００２及びＳ１００３）を満たすものである。また、他のバナー表示が既に表示されている場合は、他のバナー表示を消去してもよいし、ステップＳ９０３における条件を満たす新たなバナー表示を他のバナー表示に重畳させて表示してもよい。
【００７０】
ステップＳ９０５で、ＧＵＩ作成部１１０は、表示内容保持部１１６に保持されている表示内容情報を更新する。
【００７１】
図１０は、図９のステップＳ９０３における判定処理の詳細を示すフローチャートである。
【００７２】
ステップＳ１００１で、トグル選局実行判定部１１３は、ステップＳ９０１で取得した表示内容情報に含まれる文字情報から、ステップＳ９０２で取得した番組情報を示す文字を検索する。具体的には、番組名、放映時間、チャンネル番号等を示す文字を検索する。
【００７３】
ステップＳ１００２で、トグル選局実行判定部１１３は、ステップＳ１００１において所定の項目が見つかったか否かを判定する。見つかった場合はステップＳ１００３に進み、見つからなかった場合は、トグル選局不可能であると判断してステップＳ９０４に進む。所定の項目とは、例えば、番組名だけでもよいし、或いは、番組名、放映時間、及び、チャンネル番号の３項目であってもよい。
【００７４】
ステップＳ１００３で、トグル選局実行判定部１１３は、表示内容情報を参照し、ステップＳ１００２における所定の項目を示す文字のサイズが所定サイズ以上であるか否かを判定する。所定サイズ以上であればステップＳ１００４に進み、そうでなければ、トグル選局不可能であると判断してステップＳ９０４に進む。
【００７５】
ステップＳ１００４で、トグル選局実行判定部１１３は、表示内容情報を参照し、デコード部１０２が画像合成処理部１０４を経由して選局中のチャンネルに含まれる画像データを表示部１０７に表示中であるか否かを判定する。表示中であればトグル選局可能であると判断してステップＳ５０５に進み、表示中でなければトグル選局不可能であると判断してステップＳ９０４に進む。
【００７６】
以上のように、ステップＳ９０３においては、表示部１０７の表示内容に番組名等の所定の項目を表す文字が含まれており、かつ、文字サイズが所定サイズであり、かつ、映像表示中であるか否かが判定される。しかし、この判定基準は一例に過ぎない。より一般的には、トグル選局実行判定部１１３は、映像の出力の有無が予め定められた条件を満たすか否か、及び、表示中の内容が予め定められた形式で表示されているか否かに基づいて、トグル選局の可否を判定する。従って、例えば、映像フォーマットや音声モード（ステレオかモノラルか）、文字の表示位置などを判定基準としてもよい。
【００７７】
また、データ放送ブラウザ（不図示）が表示している内容も判断基準としてよい。例えば、データ放送画面表示中であればトグル選局不可とし、データ放送画面表示中でなければトグル選局可能としてもよいし、その逆であってもよい。この場合、データ放送ブラウザ（不図示）は、データ放送画面に表示している文字情報を表示内容保持部１１６に通知する。
【００７８】
なお、デコード部１０２が画像合成処理部１０４を経由して選局中のチャンネルに含まれる画像データを表示部１０７に表示させるか否かは、例えば、リモコン２００の映像表示ボタン（不図示）により切り替えることができる。
【００７９】
以上説明したように、本実施形態によれば、デジタルテレビ８００は、表示部１０７の表示内容に基づいてバナー表示とトグル選局を選択的に実行する。
【００８０】
これにより、バナー表示とトグル選局の選択基準をより柔軟に設定することが可能となる。具体的には、例えば番組表など、放映中の番組内容をユーザが把握するのに有効な情報が表示されていれば、図４に示すようなバナー表示が表示されていなくても、トグル選局が実行されるように選択基準を設定することが可能である。
【００８１】
更に、本実施形態では、選択基準がバナー表示に限られないため、例えば、番組の情報を示す新たな表示形態（ＧＵＩ）が考案されデジタルテレビに実装された場合でも、本実施形態を適用することができる。
【００８２】
［その他の実施形態］
上述した各実施の形態の処理は、各機能を具現化したソフトウェアのプログラムコードを記録した記憶媒体をシステム或は装置に提供してもよい。そして、そのシステム或は装置のコンピュータ（又はＣＰＵやＭＰＵ）が記憶媒体に格納されたプログラムコードを読み出し実行することによって、前述した実施形態の機能を実現することができる。この場合、記憶媒体から読み出されたプログラムコード自体が前述した実施形態の機能を実現することになり、そのプログラムコードを記憶した記憶媒体は本発明を構成することになる。このようなプログラムコードを供給するための記憶媒体としては、例えば、フロッピィ（登録商標）ディスク、ハードディスク、光ディスク、光磁気ディスクなどを用いることができる。或いは、ＣＤ−ＲＯＭ、ＣＤ−Ｒ、磁気テープ、不揮発性のメモリカード、ＲＯＭなどを用いることもできる。
【００８３】
また、コンピュータが読み出したプログラムコードを実行することにより、前述した各実施の形態の機能が実現されるだけではない。そのプログラムコードの指示に基づき、コンピュータ上で稼動しているＯＳ（オペレーティングシステム）などが実際の処理の一部又は全部を行い、その処理によって前述した各実施の形態の機能が実現される場合も含まれている。
【００８４】
更に、記憶媒体から読み出されたプログラムコードが、コンピュータに挿入された機能拡張ボードやコンピュータに接続された機能拡張ユニットに備わるメモリに書きこまれてもよい。その後、そのプログラムコードの指示に基づき、その機能拡張ボードや機能拡張ユニットに備わるＣＰＵなどが実際の処理の一部又は全部を行い、その処理によって前述した各実施の形態の機能が実現される場合も含むものである。
【図面の簡単な説明】
【００８５】
【図１】第１の実施形態に係るデジタルテレビ１００の概略構成を示すブロック図である。
【図２】デジタルテレビ１００に選局等の指示を与えるためのリモコン２００を示す図である。
【図３】選局テーブル保持部１１１が保持する選局テーブルの一例を示す図である。
【図４】第１の実施形態における、表示部１０７の画面遷移例を示す図である。
【図５】第１の実施形態に係るデジタルテレビ１００の選局処理の流れを示すフローチャートである。
【図６】第２の実施形態に係るデジタルテレビ６００の概略構成を示すブロック図である。
【図７】第２の実施形態に係るデジタルテレビ６００の選局処理の流れを示すフローチャートである。
【図８】第３の実施形態に係るデジタルテレビ８００の概略構成を示すブロック図である。
【図９】第３の実施形態に係るデジタルテレビ８００の選局処理の流れを示すフローチャートである。
【図１０】図９のステップＳ９０３における判定処理の詳細を示すフローチャートである。
【図１１】トグル選局時の表示装置の画面遷移例を示す図である。
【図１】
2008061000.tif 000003
【図２】
2008061000.tif 000004
【図３】
2008061000.tif 000005
【図４】
2008061000.tif 000006
【図５】
2008061000.tif 000007
【図６】
2008061000.tif 000008
【図７】
2008061000.tif 000009
【図８】
2008061000.tif 000010
【図９】
2008061000.tif 000011
【図１０】
2008061000.tif 000012
【図１１】
2008061000.tif 000013
【手続補正書】
【提出日】平成19年6月25日(2007.6.25)
【手続補正１】
【補正対象書類名】特許請求の範囲
【補正対象項目名】全文
【補正方法】変更
【補正の内容】
【特許請求の範囲】
【請求項１】
放送波に含まれる複数のチャンネルから１つのチャンネルを選択する選択手段と、
ユーザの操作に応じて、前記選択手段で選択するチャンネルを指示するチャンネル選択情報を出力する操作手段と、
前記選択手段で選択されたチャンネルの映像を表示装置に出力する第１出力手段と、
前記選択手段で選択されたチャンネルに関連するチャンネル情報を前記表示装置に出力するための第２出力手段と、
前記操作手段から出力されたチャンネル選択情報及び予め定められた条件に基づいて、前記選択手段及び前記第２出力手段を制御する制御手段と、
を備え、
前記制御手段は、前記選択手段が現在選択中のチャンネルに対応付けられたチャンネル選択情報が前記操作手段から出力された場合に、当該チャンネル選択情報に予め割り当てられた他のチャンネルを前記選択手段に選択させるか、前記現在選択中のチャンネルに関連する前記チャンネル情報を前記第２出力手段に出力させるかのいずれかを、前記予め定められた条件に基づいて決定することを特徴とする放送受信装置。
【請求項２】
前記制御手段は、前記現在選択中のチャンネルに対応付けられたチャンネル選択情報が前記操作手段から出力された際に、前記第２出力手段が前記チャンネル情報を出力中であれば、前記他のチャンネルを前記選択手段に選択させ、前記第２出力手段が前記チャンネル情報を出力中でなければ前記現在選択中のチャンネルに関連する前記チャンネル情報を前記第２出力手段に出力させることを特徴とする請求項１に記載の放送受信装置。
【請求項３】
前記制御手段は、前記現在選択中のチャンネルに対応付けられたチャンネル選択情報が前記操作手段から出力された際に、前記現在選択中のチャンネルを前記選択手段が選択してからの経過時間、又は、前記現在選択中のチャンネルの前記チャンネル情報を前記第２出力手段が最後に出力してからの経過時間のいずれかが予め定められた時間を超える場合、前記現在選択中のチャンネルに関連する前記チャンネル情報を前記第２出力手段に出力させ、前記経過時間のいずれもが前記予め定められた時間を超えない場合、前記他のチャンネルを前記選択手段に選択させることを特徴とする請求項１に記載の放送受信装置。
【請求項４】
前記制御手段は、前記現在選択中のチャンネルに対応付けられたチャンネル選択情報が前記操作手段から出力された際に、前記第２出力手段が予め定められた形式で前記チャンネル情報を出力中であれば、前記他のチャンネルを前記選択手段に選択させ、そうでなければ、前記現在選択中のチャンネルに関連する前記チャンネル情報を前記第２出力手段に出力させることを特徴とする請求項１に記載の放送受信装置。
【請求項５】
前記制御手段は、前記現在選択中のチャンネルに対応付けられたチャンネル選択情報が前記操作手段から出力された際に、前記第１出力手段が映像を出力中であり、かつ、前記第２出力手段が予め定められた形式で前記チャンネル情報を出力中であれば、前記他のチャンネルを前記選択手段に選択させ、そうでなければ、前記現在選択中のチャンネルに関連する前記チャンネル情報を前記第２出力手段に出力させることを特徴とする請求項１に記載の放送受信装置。
【請求項６】
前記予め定められた形式とは、前記現在選択中のチャンネルのチャンネル番号、該現在選択中のチャンネルで放映されている番組の名前、該番組の放映時間のいずれかの文字情報を含み、かつ、当該文字情報が予め定められた大きさよりも大きく前記表示装置に表示される形式であることを特徴とする請求項４又は５に記載の放送受信装置。
【請求項７】
前記制御手段は、前記チャンネル選択情報に予め割り当てられた他のチャンネルが複数ある場合、前記他のチャンネルに予め定められた順序に従って前記他のチャンネルの１つを前記選択手段に選択させることを特徴とする請求項１乃至６のいずれか１項に記載の放送受信装置。
【請求項８】
前記制御手段は、前記選択手段に前記他のチャンネルを選択させた後、前記第２出力手段に、新たに選択されたチャンネルに関する前記チャンネル情報を出力させることを特徴とする請求項１乃至７のいずれか１項に記載の放送受信装置。
【請求項９】
前記第２出力手段は、前記チャンネル情報の出力を開始してから予め定められた時間が経過すると、当該出力を停止することを特徴とする請求項１乃至８のいずれか１項に記載の放送受信装置。
【請求項１０】
前記放送波として、地上アナログ放送、地上デジタル放送、ＢＳアナログ放送、ＢＳデジタル放送、ＣＳアナログ放送、及び、ＣＳデジタル放送のうち、少なくとも一つの放送波を受信することを特徴とする請求項１乃至９のいずれか１項に記載の放送受信装置。
【請求項１１】
放送波に含まれる複数のチャンネルから１つのチャンネルを選択する選択工程と、
ユーザの操作に応じて、前記選択工程で選択するチャンネルを指示するチャンネル選択情報を出力する操作工程と、
前記選択工程で選択されたチャンネルの映像を表示装置に出力する第１出力工程と、
前記選択工程で選択されたチャンネルに関連するチャンネル情報を前記表示装置に出力するための第２出力工程と、
前記操作工程で出力されたチャンネル選択情報及び予め定められた条件に基づいて、前記選択工程及び前記第２出力工程を制御する制御工程と、
を備え、
前記制御工程では、前記選択工程で現在選択中のチャンネルに対応付けられたチャンネル選択情報が前記操作工程で出力された場合に、当該チャンネル選択情報に予め割り当てられた他のチャンネルを前記選択工程で選択させるか、前記現在選択中のチャンネルに関連する前記チャンネル情報を前記第２出力工程で出力させるかのいずれかを、前記予め定められた条件に基づいて決定することを特徴とする放送受信装置の制御方法。
【請求項１２】
前記制御工程は、前記現在選択中のチャンネルに対応付けられたチャンネル選択情報が前記操作工程で出力された際に、前記第２出力工程で前記チャンネル情報を出力中であれば、前記他のチャンネルを前記選択工程で選択させ、前記第２出力工程で前記チャンネル情報を出力中でなければ前記現在選択中のチャンネルに関連する前記チャンネル情報を前記第２出力工程で出力させることを特徴とする請求項１１に記載の制御方法。
【請求項１３】
前記制御工程は、前記現在選択中のチャンネルに対応付けられたチャンネル選択情報が前記操作工程で出力された際に、前記現在選択中のチャンネルを前記選択工程で選択してからの経過時間、又は、前記現在選択中のチャンネルの前記チャンネル情報を前記第２出力工程で最後に出力してからの経過時間のいずれかが予め定められた時間を超える場合、前記現在選択中のチャンネルに関連する前記チャンネル情報を前記第２出力工程で出力させ、前記経過時間のいずれもが前記予め定められた時間を超えない場合、前記他のチャンネルを前記選択工程で選択させることを特徴とする請求項１１に記載の制御方法。
【請求項１４】
前記制御工程は、前記現在選択中のチャンネルに対応付けられたチャンネル選択情報が前記操作工程で出力された際に、前記第２出力工程で予め定められた形式で前記チャンネル情報を出力中であれば、前記他のチャンネルを前記選択工程で選択させ、そうでなければ、前記現在選択中のチャンネルに関連する前記チャンネル情報を前記第２出力工程で出力させることを特徴とする請求項１１に記載の制御方法。
【請求項１５】
前記制御工程は、前記現在選択中のチャンネルに対応付けられたチャンネル選択情報が前記操作工程で出力された際に、前記第１出力工程で映像を出力中であり、かつ、前記第２出力工程で予め定められた形式で前記チャンネル情報を出力中であれば、前記他のチャンネルを前記選択工程で選択させ、そうでなければ、前記現在選択中のチャンネルに関連する前記チャンネル情報を前記第２出力工程で出力させることを特徴とする請求項１１に記載の制御方法。
【請求項１６】
前記予め定められた形式とは、前記現在選択中のチャンネルのチャンネル番号、該現在選択中のチャンネルで放映されている番組の名前、該番組の放映時間のいずれかの文字情報を含み、かつ、当該文字情報が予め定められた大きさよりも大きく前記表示装置に表示される形式であることを特徴とする請求項１４又は１５に記載の制御方法。
【請求項１７】
前記制御工程は、前記チャンネル選択情報に予め割り当てられた他のチャンネルが複数ある場合、前記他のチャンネルに予め定められた順序に従って前記他のチャンネルの１つを前記選択工程で選択させることを特徴とする請求項１１乃至１６のいずれか１項に記載の制御方法。
【請求項１８】
前記制御工程は、前記選択工程で前記他のチャンネルを選択させた後、前記第２出力工程で、新たに選択されたチャンネルに関する前記チャンネル情報を出力させることを特徴とする請求項１１乃至１７のいずれか１項に記載の制御方法。
【請求項１９】
前記第２出力工程は、前記チャンネル情報の出力を開始してから予め定められた時間が経過すると、当該出力を停止することを特徴とする請求項１１乃至１８のいずれか１項に記載の制御方法。
【請求項２０】
請求項１１乃至１９のいずれか１項に記載の制御方法をコンピュータに実行させるためのプログラム。
【手続補正２】
【補正対象書類名】明細書
【補正対象項目名】０００９
【補正方法】変更
【補正の内容】
【０００９】
上記課題を解決するために、本発明の放送受信装置は、放送波に含まれる複数のチャンネルから１つのチャンネルを選択する選択手段と、ユーザの操作に応じて、前記選択手段で選択するチャンネルを指示するチャンネル選択情報を出力する操作手段と、前記選択手段で選択されたチャンネルの映像を表示装置に出力する第１出力手段と、前記選択手段で選択されたチャンネルに関連するチャンネル情報を前記表示装置に出力するための第２出力手段と、前記操作手段から出力されたチャンネル選択情報及び予め定められた条件に基づいて、前記選択手段及び前記第２出力手段を制御する制御手段と、を備え、前記制御手段は、前記選択手段が現在選択中のチャンネルに対応付けられたチャンネル選択情報が前記操作手段から出力された場合に、当該チャンネル選択情報に予め割り当てられた他のチャンネルを前記選択手段に選択させるか、前記現在選択中のチャンネルに関連する前記チャンネル情報を前記第２出力手段に出力させるかのいずれかを、前記予め定められた条件に基づいて決定することを特徴とする。
【手続補正３】
【補正対象書類名】明細書
【補正対象項目名】００１０
【補正方法】変更
【補正の内容】
【００１０】
また、本発明の放送受信装置の制御方法は、放送波に含まれる複数のチャンネルから１つのチャンネルを選択する選択工程と、ユーザの操作に応じて、前記選択工程で選択するチャンネルを指示するチャンネル選択情報を出力する操作工程と、前記選択工程で選択されたチャンネルの映像を表示装置に出力する第１出力工程と、前記選択工程で選択されたチャンネルに関連するチャンネル情報を前記表示装置に出力するための第２出力工程と、前記操作工程で出力されたチャンネル選択情報及び予め定められた条件に基づいて、前記選択工程及び前記第２出力工程を制御する制御工程と、を備え、前記制御工程では、前記選択工程で現在選択中のチャンネルに対応付けられたチャンネル選択情報が前記操作工程で出力された場合に、当該チャンネル選択情報に予め割り当てられた他のチャンネルを前記選択工程で選択させるか、前記現在選択中のチャンネルに関連する前記チャンネル情報を前記第２出力工程で出力させるかのいずれかを、前記予め定められた条件に基づいて決定することを特徴とする。
【手続補正４】
【補正対象書類名】明細書
【補正対象項目名】００６０
【補正方法】変更
【補正の内容】
【００６０】
例えば、バナー表示が非表示になった直後に、選局中のチャンネルに対応するリモコンコードと同じリモコンコードをデジタルテレビ６００が受信した場合を考える。第２の実施形態によれば、この場合でも、予め定められた時間が経過する前であれば、デジタルテレビ６００がトグル選局を実行するように構成できる。そのため、バナー表示とトグル選局の選択基準をより柔軟に設定することが可能となる。